(57)【要約】【課題】限られた範囲内での使用に制限される従来技術の欠陥を解消する会議開催の解決法を提供する。【解決手段】Ｂｌｕｅｔｏｏｔｈ（登録商標）ピコネットなどの無線パーソナル・エリア・ネットワークが会議開催接続により標準範囲を超える遠く離れた場所まで広げられることを可能にするシステム、方法及び装置が開示される。会議開催接続は、例えば、１又はそれ以上のＩＳＤＮラインや、２又はそれ以上の会議エンドポイントの間にあるIP接続などを有しうる。ブロードバンド接続は、映像チャネル、音声チャネル、制御チャネル、及びＢｌｕｅｔｏｏｔｈ（登録商標）チャネルを有しうる。【選択図】図１
2007282219.tif 000002
【特許請求の範囲】
【請求項１】
無線パーソナル・エリア・ネットワーク（ＰＡＮ）を広げる方法であって、
第１のＰＡＮ使用可能装置及び第１のＰＡＮ使用可能会議開催ユニットを有する第１のＰＡＮを確立する段階と、
前記第１のＰＡＮ使用可能会議開催ユニットと、該第１のＰＡＮ使用可能会議開催ユニットから離れた場所にある第２のＰＡＮ使用可能会議開催ユニットとの間に会議開催接続を確立する段階と、
第２のＰＡＮ使用可能装置及び前記第２のＰＡＮ使用可能会議開催ユニットを有する第２のＰＡＮを確立する段階と、
前記会議開催接続を介して前記第１のＰＡＮを前記第２のＰＡＮへ接続する段階とを有する方法。
【請求項２】
前記第１のＰＡＮ使用可能装置、前記第２のＰＡＮ使用可能装置、前記第１のＰＡＮ使用可能会議開催ユニット、及び前記第２のＰＡＮ使用可能会議開催ユニットは、夫々、Ｂｌｕｅｔｏｏｔｈ（登録商標）規格に従う、請求項１記載の方法。
【請求項３】
前記会議開催接続は、Ｂｌｕｅｔｏｏｔｈ（登録商標）チャネルを有する、請求項１記載の方法。
【請求項４】
前記会議開催接続は、ＩＳＤＮラインを有する、請求項１記載の方法。
【請求項５】
前記会議開催接続は、インターネットプロトコル接続を有する、請求項１記載の方法。
【請求項６】
前記会議開催接続は、ブロードバンド接続を有する、請求項１記載の方法。
【請求項７】
前記第１のＰＡＮ使用可能会議開催ユニットは、映像会議開催ユニットを有する、請求項１記載の方法。
【請求項８】
前記第１のＰＡＮ使用可能会議開催ユニットは、音声会議開催ユニットを有する、請求項１記載の方法。
【請求項９】
無線パーソナル・エリア・ネットワーク（ＰＡＮ）を広げる方法であって、
第１のＢｌｕｅｔｏｏｔｈ（登録商標）使用可能装置及び第１のＢｌｕｅｔｏｏｔｈ（登録商標）使用可能映像会議開催ユニットを有する第１のＰＡＮを確立する段階と、
第２のＢｌｕｅｔｏｏｔｈ（登録商標）使用可能装置、及び前記第１のＢｌｕｅｔｏｏｔｈ（登録商標）使用可能映像会議開催ユニットから離れた場所にある第２のＢｌｕｅｔｏｏｔｈ（登録商標）使用映像可能会議開催ユニットを有する第２のＰＡＮを確立する段階と、
前記第１のＢｌｕｅｔｏｏｔｈ（登録商標）使用映像可能会議開催ユニットと、前記第２のＢｌｕｅｔｏｏｔｈ（登録商標）使用可能映像会議開催ユニットとの間に映像会議開催接続を確立する段階と、
前記映像会議開催接続を介して前記第１のＰＡＮを前記第２のＰＡＮへ接続する段階とを有する方法。
【請求項１０】
前記映像会議開催接続は、音声チャネル、映像チャネル、制御データチャネル、及びＢｌｕｅｔｏｏｔｈ（登録商標）チャネルを有する、請求項９記載の方法。
【請求項１１】
前記映像会議開催接続は、ＩＳＤＮラインを有する、請求項９記載の方法。
【請求項１２】
前記映像会議開催接続は、インターネットプロトコル接続を有する、請求項９記載の方法。
【請求項１３】
前記映像会議開催接続は、ブロードバンド接続を有する、請求項９記載の方法。
【請求項１４】
無線パーソナル・エリア・ネットワーク（ＰＡＮ）を広げる方法であって、
第１のＰＡＮ使用可能装置及び第１のＰＡＮ使用可能映像会議開催ユニットを有する第１のＰＡＮを確立する段階と、
第２のＰＡＮ使用可能装置、及び前記第１のＰＡＮ使用可能映像会議開催ユニットから離れた場所にある第２のＰＡＮ使用可能映像会議開催ユニットを有する第２のＰＡＮを確立する段階と、
前記第１のＰＡＮ使用可能映像会議開催ユニットと、前記第２のＰＡＮ使用可能映像会議開催ユニットとの間に映像会議開催接続を確立する段階と、
前記映像会議開催接続を介して前記第１のＰＡＮを前記第２のＰＡＮへ接続する段階と、
前記第１のＰＡＮ使用可能映像会議開催ユニット及び前記第２のＰＡＮ使用可能映像会議開催ユニットの夫々の機能を決定する段階と、
前記第１のＰＡＮにおいて１又はそれ以上の装置を識別する段階と、
前記第２のＰＡＮにおいて１又はそれ以上の装置を識別する段階と、
前記第１のＰＡＮ使用可能装置から前記第２のＰＡＮ使用可能装置へデータを送信する段階とを有する方法。
【請求項１５】
前記第１のＰＡＮ使用可能装置から前記第２のＰＡＮ使用可能装置へ送信されるデータは、電子名刺を含む、請求項１４記載の方法。
【請求項１６】
前記第１のＰＡＮ使用可能装置から前記第２のＰＡＮ使用可能装置へ送信されるデータは、Ｂｌｕｅｔｏｏｔｈ（登録商標）使用可能ホワイトボードに描かれたイメージを含む、請求項１４記載の方法。
【請求項１７】
前記第１のＰＡＮ使用可能装置から前記第２のＰＡＮ使用可能装置へ送信されるデータは、Ｂｌｕｅｔｏｏｔｈ（登録商標）使用可能ペンで描かれたイメージを含む、請求項１４記載の方法。
【請求項１８】
前記第１のＰＡＮ使用可能装置から前記第２のＰＡＮ使用可能装置へ送信されるデータは、ＰＤＡに描かれたイメージを含む、請求項１４記載の方法。
【請求項１９】
仮想パーソナル・エリア・ネットワーク（ＰＡＮ）を介する無線通信を可能にする会議開催システムであって、
第１のＰＡＮ使用可能会議開催ユニット、第１のＰＡＮ使用可能装置、及び第２のＰＡＮ使用可能装置を有する第１の無線ＰＡＮと、
第２のＰＡＮ使用可能会議開催ユニット、前記第１のＰＡＮ使用可能装置、及び前記第２のＰＡＮ使用可能装置を有する第２の無線ＰＡＮとを有し、
前記第１のＰＡＮ使用可能会議開催ユニット及び前記第１のＰＡＮ使用可能装置は、第１の場所にあり、
前記第２のＰＡＮ使用可能会議開催ユニット及び前記第２のＰＡＮ使用可能装置は、前記第１の場所から物理的に離れた第２の場所にあり、
前記第１のＰＡＮ使用可能会議開催ユニット及び前記第２のＰＡＮ使用可能会議開催ユニットは、会議接続を介して通信する能力を有する、システム。
【請求項２０】
前記会議接続は、Ｂｌｕｅｔｏｏｔｈ（登録商標）チャネルを有する、請求項１９記載のシステム。
【請求項２１】
前記会議接続は、ＩＳＤＮラインを有する、請求項１９記載のシステム。
【請求項２２】
前記会議接続は、インターネットプロトコル接続を有する、請求項１９記載のシステム。
【請求項２３】
前記会議接続は、ブロードバンド接続を有する、請求項１９記載のシステム。
【請求項２４】
前記第１のＰＡＮ使用可能装置は、パーソナル・デジタル・アシスタントを有する、請求項１９記載のシステム。
【請求項２５】
前記第１のＰＡＮ使用可能装置は、パーソナルコンピュータを有する、請求項１９記載のシステム。
【請求項２６】
前記第１のＰＡＮ使用可能装置は、携帯電話を有する、請求項１９記載のシステム。
【請求項２７】
前記第１のＰＡＮ使用可能装置は、カメラを有する、請求項１９記載のシステム。
【請求項２８】
前記第１のＰＡＮ使用可能装置は、マイクロフォンを有する、請求項１９記載のシステム。
【請求項２９】
前記第１のＰＡＮ使用可能装置は、スピーカを有する、請求項１９記載のシステム。
【請求項３０】
前記第１のＰＡＮ使用可能装置は、Ｂｌｕｅｔｏｏｔｈ（登録商標）ホワイトボードを有する、請求項１９記載のシステム。
【請求項３１】
前記第１のＰＡＮ使用可能装置は、Ｂｌｕｅｔｏｏｔｈ（登録商標）ペンを有する、請求項１９記載のシステム。
【請求項３２】
前記第１のＰＡＮ使用可能装置は、プリンタを有する、請求項１９記載のシステム。
【請求項３３】
前記第１のＰＡＮ使用可能装置は、マウスを有する、請求項１９記載のシステム。
【請求項３４】
前記第１のＰＡＮ使用可能装置は、キーボードを有する、請求項１９記載のシステム。
【請求項３５】
前記第１のＰＡＮ使用可能会議開催ユニットは、映像会議開催ユニットを有する、請求項１９記載のシステム。
【請求項３６】
前記第１のＰＡＮ使用可能会議開催ユニットは、音声会議開催ユニットを有する、請求項１９記載のシステム。
【請求項３７】
処理装置と、
遠端にある遠く離れたエンドポイントへ会議接続を介して音声データ、制御データ、及びＢｌｕｅｔｏｏｔｈ（登録商標）データを送受信するよう構成され、前記処理装置へ結合されるインターフェースと、
近端のＢｌｕｅｔｏｏｔｈ（登録商標）使用可能装置との間でデータを無線で送受信するよう構成され、シリアル接続を介して前記インターフェースへ結合されるＢｌｕｅｔｏｏｔｈ（登録商標）モジュールとを有する、近端にある会議エンドポイント。
【請求項３８】
前記近端のＢｌｕｅｔｏｏｔｈ（登録商標）使用可能装置から無線で受信される電話番号をダイヤルするためのコンピュータが実行可能なコマンドを含むコンピュータ読み取り可能な媒体を更に有する、請求項３７記載の会議エンドポイント。
【請求項３９】
前記近端のＢｌｕｅｔｏｏｔｈ（登録商標）使用可能装置から無線で受信される電子名刺を遠端のＢｌｕｅｔｏｏｔｈ（登録商標）使用可能装置へ送信するためのコンピュータが実行可能なコマンドを含むコンピュータ読み取り可能な媒体を更に有する、請求項３７記載の会議エンドポイント。
【請求項４０】
前記近端のＢｌｕｅｔｏｏｔｈ（登録商標）使用可能装置から無線で受信されるイメージを遠端のＢｌｕｅｔｏｏｔｈ（登録商標）使用可能装置へ送信するためのコンピュータが実行可能なコマンドを含むコンピュータ読み取り可能な媒体を更に有する、請求項３７記載の会議エンドポイント。
【請求項４１】
前記近端のＢｌｕｅｔｏｏｔｈ（登録商標）使用可能装置から無線で受信されるファイルを遠端のＢｌｕｅｔｏｏｔｈ（登録商標）使用可能装置へ送信するためのコンピュータが実行可能なコマンドを含むコンピュータ読み取り可能な媒体を更に有する、請求項３７記載の会議エンドポイント。
【請求項４２】
前記近端のＢｌｕｅｔｏｏｔｈ（登録商標）使用可能装置に保存された第１のデータの組を、遠端のＢｌｕｅｔｏｏｔｈ（登録商標）使用可能装置に保存された第２のデータの組と同期させるためのコンピュータが実行可能なコマンドを含むコンピュータ読み取り可能な媒体を更に有する、請求項３７記載の会議エンドポイント。
【請求項４３】
第１の場所にある映像会議開催ユニットであって、
処理装置と、
前記第１の場所から離れた第２の場所にあるエンドポイントへ会議接続を介して音声データ、制御データ、及びＢｌｕｅｔｏｏｔｈ（登録商標）データを送受信するよう構成され、前記処理装置へ結合されるインターフェースと、
前記第１の場所にあるＢｌｕｅｔｏｏｔｈ（登録商標）使用可能装置との間でデータを無線で送受信するよう構成され、シリアル接続を介して前記インターフェースへ結合されるＢｌｕｅｔｏｏｔｈ（登録商標）モジュールとを有する、映像会議開催ユニット。
【請求項４４】
前記第１の場所にある前記Ｂｌｕｅｔｏｏｔｈ（登録商標）使用可能装置から無線で送信される映像番号をダイヤルするためのコンピュータが実行可能なコマンドを含むコンピュータ読み取り可能な媒体を更に有する、請求項４３記載の映像会議開催ユニット。
【請求項４５】
前記第１の場所にある前記Ｂｌｕｅｔｏｏｔｈ（登録商標）使用可能装置から無線で受信される電子名刺を、前記第２の場所にあるＢｌｕｅｔｏｏｔｈ（登録商標）使用可能装置へ送信するためのコンピュータが実行可能なコマンドを含むコンピュータ読み取り可能な媒体を更に有する、請求項４３記載の映像会議開催ユニット。
【請求項４６】
前記第１の場所にある前記Ｂｌｕｅｔｏｏｔｈ（登録商標）使用可能装置から無線で受信されるイメージを、前記第２の場所にあるＢｌｕｅｔｏｏｔｈ（登録商標）使用可能装置へ送信するためのコンピュータが実行可能なコマンドを含むコンピュータ読み取り可能な媒体を更に有する、請求項４３記載の映像会議開催ユニット。
【請求項４７】
前記第１の場所にある前記Ｂｌｕｅｔｏｏｔｈ（登録商標）使用可能装置から無線で受信されるファイルを、前記第２の場所にあるＢｌｕｅｔｏｏｔｈ（登録商標）使用可能装置へ送信するためのコンピュータが実行可能なコマンドを含むコンピュータ読み取り可能な媒体を更に有する、請求項４３記載の映像会議開催ユニット。
【請求項４８】
前記第１の場所にあるＢｌｕｅｔｏｏｔｈ（登録商標）使用可能装置に保存された第１のデータの組を、前記第２の場所にあるＢｌｕｅｔｏｏｔｈ（登録商標）使用可能装置に保存された第２のデータの組と同期させるためのコンピュータが実行可能なコマンドを含むコンピュータ読み取り可能な媒体を更に有する、請求項４３記載の映像会議開催ユニット。
【発明の詳細な説明】
【技術分野】
【０００１】
本発明は、概して、会議開催（ｃｏｎｆｅｒｅｎｃｉｎｇ）に関し、更に具体的には、会議開催接続による無線ピコネット又は無線パーソナル・エリア・ネットワーク（ＰＡＮ）の範囲の拡大に関する。
【背景技術】
【０００２】
音声会議開催及び映像会議開催は、地理的に離れた個人又は集団が、彼らの夫々の場所から互いに通ずることを可能にする。会議開催は、直接会うために移動することによって必要とされる時間及び費用を削減することによって、価値ある目的を果たす。従って、テレビ会議開催は、組織内又は組織の間で収益性、生産性及び能率性を増大させることができる。会議開催は、また、企業が方針決定を速め、分散したチームに権限を持たせることを可能にする。会議開催は、ビジネス、教育及び政治の分野で、特に有益である。
【０００３】
音声会議開催では、スピーカーフォンは、２又はそれ以上の場所にいる参加者の間で音声通信を可能にするために用いられるエンドポイント装置の例である。スピーカーフォンの一例は、ＰＯＬＹＣＯＭ（登録商標）社のサウンドステーション製品系列で見付けられうる。映像会議開催は、画像情報を伝え、離れた場所にいる会議参加者の表情及びしぐさを見ることを可能にする更なる機能を提供する。映像会議開催は、移動に関連する不便、費用及び不確実性を伴わずに、対面コミュニケーションの有益性を提供する。映像会議開催ユニットの一例は、ＰＯＬＹＣＯＭ（登録商標）社のＶＩＥＷＳＴＡＴＩＯＮ製品系列で見つけられうる。
【０００４】
しばしば、会議中に遠くの参加者とデータを共有することが望ましい。映像会議開催及びコラボレーションは、データ共有及びコラボレーションとともに、ますます分散した企業が、仕事及び交信の新しい方法を作り出すとともに、彼らの人間及び情報資源を引き出すことを可能にする。映像会議開催システムは、たとえ参加者が数千マイル離れていようとも、上等且つ有効なコラボレーション環境を提供することができる。
【発明の開示】
【発明が解決しようとする課題】
【０００５】
無線装置は、ますます一般的になりつつある。線の排除は、柔軟性及び移動性を提供し、乱雑さを解消する。莫大な金額が、無線技術及び規格に関して世界規模で投資されてきた。しかし、例えばＢｌｕｅｔｏｏｔｈ（登録商標）、８０２．１１、及びＩＲ（赤外線）などの、現在の無線技術は、限られた範囲内での使用に制限される。
【０００６】
従って、従来技術の欠陥を解消する会議開催の解決法を提供する必要性が生じた。本発明の実施例は、有利に、長距離音声及び映像会議開催の特徴を短距離無線技術の特徴と組み合わせる。
【課題を解決するための手段】
【０００７】
映像会議開催ユニットは、当該映像会議開催ユニットの周辺で無線ピコネットを確立する。１又はそれ以上の遠く離れた会議開催ユニットと音声又は映像会議で交信する場合、ピコネットは、映像会議開催システムによって用いられるデータチャネルを使用する離れた場所を含むよう拡大されうる。このようにして、会議開催ユニットのいずれか１つと無線通信中の装置は、会議接続を介してデータを受信及び／又は送信するよう遠く離れたピコネットへ接続することができる。本発明の実施例は、仮想的な物理的近接を可能にするＢｌｕｅｔｏｏｔｈ（登録商標）ブリッジを提供する。
【０００８】
従って、音声又は映像会議の間に、他のモードの会議が有利に提供される。この場合に、遠く離れた装置は、それらが同じ部屋の中にある場合のように、無線で通信することができる。例えば、近端の無線装置は、近端の映像会議開催ユニットへ無線でデータを送信することができる。近端の映像会議開催ユニットは、遠端の会議開催ユニットへ会議接続を介してデータを送信する。遠端の会議開催ユニットは、遠端の無線装置へ無線でデータを送信する。このような無線で送信されるデータの例は、電子名刺、イメージ、Ｂｌｕｅｔｏｏｔｈ（登録商標）ペンデータ、Ｂｌｕｅｔｏｏｔｈ（登録商標）ホワイトボードデータ、電話番号、映像番号、カレンダデータ、アドレス帳データ、キーボードデータ、マウスデータ、無線マイクロフォンからの音声、無線ラウドスピーカへの音声などを含む。
【発明の効果】
【０００９】
従って、本発明の例は、遠く離れた場所にいる相手との間のコラボレーションを改善し、高める。
【発明を実施するための最良の形態】
【００１０】
ここで図１を参照する。図１は、第１の物理的位置１０５（場所Ａ）にある無線ネットワークを使用可能な会議エンドポイント１００を表す。エンドポイント１００は、無線ネットワークを使用可能な映像会議開催ユニット（ＶＣＵ）を有しても良い。適切な映像会議開催ユニットの例となるブロック図は、図３に表される。他の実施例では、エンドポイント１００は、映像機能を有さない、無線ネットワークを使用可能な音声会議開催ユニットを有しても良い。例えば、エンドポイント１００は、いずれかの映像チャネル、映像エンコーダ、映像デコーダ、映像モニタ、及びビデオカメラも除いて、図３のＶＣＵの構成要素を有する無線ネットワークを使用可能なスピーカーフォンを有しても良い。
【００１１】
エンドポイント１００は、１又はそれ以上の同様に使用可能な装置１２０、１３０及び１４０を有する無線周波数パーソナル・エリア・ネットワーク１１０（ＰＡＮＡ）を確立することができる。幾つかの実施例で、１又はそれ以上の装置１２０、１３０及び１４０は、Ｂｌｕｅｔｏｏｔｈ（登録商標）規格に従う短距離無線通信の能力を有するＢｌｕｅｔｏｏｔｈ（登録商標）使用可能装置を有しても良い。１又はそれ以上の装置１２０、１３０及び１４０は、例えば、パーソナル・デジタル・アシスタント（ＰＤＡ）、携帯電話、プリンタ、ラップトップ、ディスプレイ装置、プロジェクタ、カメラ、Ｂｌｕｅｔｏｏｔｈ（登録商標）ホワイトボード、Ｂｌｕｅｔｏｏｔｈ（登録商標）ペン、スピーカ、マイクロフォン、ヘッドセット、キーボード、マウス、及びＰＡＮにおいて無線で通信することができるいずれかの他の装置などの装置を有しても良い。ＰＡＮＡ１１０は、Ｂｌｕｅｔｏｏｔｈ（登録商標）ピコネットに限定されず、例えば、超広帯域（ＵＷＢ）ネットワーク又は他の適切なネットワークを有しても良い。他の実施例では、赤外線（ＩＲ）又は８０２．１１通信が使用されても良い。
【００１２】
また、図１には、位置１０５（場所Ａ）から遠く離れた物理的位置１５５（場所Ｂ）にある無線ネットワークを使用可能な会議エンドポイント１５０が示される。エンドポイント１５０は、無線ネットワークを使用可能な映像会議開催ユニット１５０を有しても良い。適切な映像会議開催ユニットの例となるブロック図は、図３に表される。他の実施例では、エンドポイント１５０は、映像機能を有さない、無線ネットワークを使用可能な音声会議開催ユニットを有しても良い。例えば、エンドポイント１５０は、いずれかの映像チャネル、映像エンコーダ、映像デコーダ、映像モニタ、及びビデオカメラも除いて、図３のＶＣＵの構成要素を有する無線ネットワークを使用可能なスピーカーフォンを有しても良い。
【００１３】
１つの実施例で、エンドポイント１００及び１５０は、会議接続１４５を介してオーディオビデオ（ＡＶ）及びデータ通信の能力を有する。会議接続１４５は、映像チャネル、音声チャネル、制御チャネル、及びＢｌｕｅｔｏｏｔｈ（登録商標）チャネルを有しても良い。会議接続１４５は、例えば、１又はそれ以上のＩＳＤＮ（Ｉｎｔｅｇｒａｔｅｄ  Ｓｅｒｖｉｃｅｓ  Ｄｉｇｉｔａｌ  Ｎｅｔｗｏｒｋ）ラインや、ローカルエリアネットワーク（ＬＡＮ）、ワイドエリアネットワーク（ＷＡＮ）、又はインターネットを介するインターネットプロトコル（ＩＰ）接続や、光ファイバ接続、マイクロウェーブ、又は衛星リンクなどのいずれかの他の適切なデータ通信手段などを有しても良い。如何なるＩＰベースの規格も、現在知られるか、あるいは後に開発されるかに関わらず、用いられて良い。現在知られるＩＰベースの規格は、実時間トランスポートプロトコル（ＲＴＰ）、実時間ストリーミングプロトコル（ＲＴＳＰ）、セッション開始プロトコル（ＳＩＰ）、Ｈシリーズ（例えば、Ｈ．３２３及びＨ３２４など。）及びＴシリーズ（例えば、Ｔ．１２０など。）などを無制限に含む。他の実施例では、音声会議開催は可能であって、映像会議開催は可能でない場合に、会議接続１４５は、例えば、ＶｏＩＰ（Ｖｏｉｃｅ  ｏｖｅｒ  Ｉｎｔｅｒｎｅｔ  Ｐｒｏｔｏｃｏｌ）、ＳＩＰ、又はＩＳＤＮ接続を有しても良い。
【００１４】
エンドポイント１５０は、１又はそれ以上の装置１７０及び１８０を有する無線周波数パーソナル・エリア・ネットワーク１６０（ＰＡＮＢ）を確立することができる。ＰＡＮＢ１６０は、Ｂｌｕｅｔｏｏｔｈ（登録商標）ピコネットを有しても良い。１又はそれ以上の装置１７０及び１８０は、例えば、Ｂｌｕｅｔｏｏｔｈ（登録商標）システムを用いる短距離無線通信の能力を有するＢｌｕｅｔｏｏｔｈ（登録商標）使用可能装置を有しても良い。１又はそれ以上の装置１７０及び１８０は、例えば、パーソナル・デジタル・アシスタント（ＰＤＡ）、携帯電話、プリンタ、ラップトップ、ディスプレイ装置、プロジェクタ、カメラ、Ｂｌｕｅｔｏｏｔｈ（登録商標）ホワイトボード、Ｂｌｕｅｔｏｏｔｈ（登録商標）ペン、スピーカ、マイクロフォン、ヘッドセット、キーボード、マウス、及びＰＡＮにおいて無線で通信することができるいずれかの他の装置などの装置を有しても良い。
【００１５】
接続１４５を用いると、ＰＡＮＡ１１０は、装置１２０、１３０、１４０、１７０及び１８０（並びにＰＡＮＡ又はＰＡＮＢに加入しうるいずれかの他の装置）が互いとデータ通信を行うように、ＰＡＮＢ１６０へ接続可能である。従って、映像会議開催接続１４５は、数百又は数千マイル離れた装置の仮想的な物理的近接を可能にする。
【００１６】
図１は２地点間会議開催システムを表すが、当該システムは、複数の会議開催を提供するよう拡大可能である。この場合に、更なる映像会議開催ユニットが接続１４５によって接続される。接続１４５は、複数の映像会議開催ユニットが単一の映像会議に参加することを可能にするよう、多点制御ユニット（ＭＣＵ）を有することができる。３つの集団の会議では、例えば、夫々のＰＡＮがＢｌｕｅｔｏｏｔｈ（登録商標）ピコネットを有する場合に、夫々のＰＡＮにおける装置の最大値は３倍となる。
【００１７】
Ｂｌｕｅｔｏｏｔｈ（登録商標）は、携帯型ＰＣ、携帯電話、周辺機器、及び他の持ち運び可能な装置の間の短距離、低価格、且つ小フォームファクタの無線接続のための規格及び仕様である。従来の通信器通信とは異なり、Ｂｌｕｅｔｏｏｔｈ（登録商標）ピコネットはアクセスポイントを必要とせず、（例えば、赤外線通信協会ごとの）赤外線通信とは異なり、Ｂｌｕｅｔｏｏｔｈ（登録商標）は見通し（ｌｉｎｅ−ｏｆ−ｓｉｇｈｔ）接続を必要としない。
【００１８】
Ｂｌｕｅｔｏｏｔｈ（登録商標）装置は、回路切り替えモード及びパケット切り替えモードで機能することができる。回路切り替えモードは、音声通信にとって最も共通のモードであり、一方、パケット切り替えモードは、通常、インターネットデータ、及びより高い帯域幅の携帯通信システムにとって好ましい。
【００１９】
Ｂｌｕｅｔｏｏｔｈ（登録商標）ＰＡＮは、マスターと、最大７個のスレーブとを有し、それによって、限られた半径（例えば１０メートル）で最大８個の装置の相互接続を可能にする。Ｄｅｖｉｃｅ  Ｄｉｓｃｏｖｅｒｙと呼ばれるプロセスでは、マスターは、要求を送信することによって装置を探し、発見可能な状態にあるスレーブは、その識別番号を答える。データ暗号化は、更なる安全性を要求するそれらのユーザ及び用途にとって有効である。
【００２０】
Ｂｌｕｅｔｏｏｔｈ（登録商標）プロフィールは、特定のユーザのためのＢｌｕｅｔｏｏｔｈ（登録商標）無線技術の実施の定義を公開する。プロフィールは、装置によって提供されるサービスである。２つのＢｌｕｅｔｏｏｔｈ（登録商標）を使用可能な装置がユーザタスクを完了するよう同時に使用されるために、両方の装置が共通プロフィールの組を実施すべきである。
【００２１】
Ｂｌｕｅｔｏｏｔｈ（登録商標）リンクによって送信される信号は、半二重又は全二重のいずれか一方であっても良い。Ｂｌｕｅｔｏｏｔｈ（登録商標）ピコネットにおける全二重リンクは、６４Ｋｂｐｓよりも速く、即ち、幾つかの音声チャネルに適応するのに充分な速度で、データを送信することができる。半二重リンクは、一方向で毎秒７２１キロビットのデータ速度で、他方で５７．６Ｋｂｐｓで確立され得る。どちらの方向でも同じ速度を有する半二重リンクが要求される場合には、夫々の方向で４３２．６Ｋｂｐｓを有するリンクが作られうる。
【００２２】
多数の他の無線規格とは異なり、Ｂｌｕｅｔｏｏｔｈ（登録商標）無線規格は、データ、音声及びコンテンツ中心アプリケーションを支持する製品開発者のためのリンク層及びアプリケーション層の両方の定義を含む。
【００２３】
Ｂｌｕｅｔｏｏｔｈ（登録商標）プロトコルアーキテクチャは、Ｂｌｕｅｔｏｏｔｈ（登録商標）仕様書で更に記載される。２００４年１１月４日付けの最新のＢｌｕｅｔｏｏｔｈ（登録商標）仕様書Ｒｅｖバージョン２．０＋ＥＤＲの内容は、ｈｔｔｐ：／／ｗｗｗ．ｂｌｕｅｔｏｏｔｈ．ｃｏｍで入手可能であり、参照することにより本願に援用される。しかし、本発明の様々な実施例の原理は、Ｂｌｕｅｔｏｏｔｈ（登録商標）仕様書の前及び次の世代により使用されても良い。
【００２４】
Ｂｌｕｅｔｏｏｔｈ（登録商標）仕様書は、その基礎としてＢｌｕｅｔｏｏｔｈ（登録商標）無線層を有するプロトコルスタックとして記載される。無線層は、２．４ＧＨｚＩＳＭ（産業、科学及び医療）帯域で動作するＢｌｕｅｔｏｏｔｈ（登録商標）送受信機に関する必要条件を定義する。電力制御リンクに参加する送受信機は、それ自体の受信機信号の強さを測定して、リンクの他の側にある送受信機がその出力レベルを増大又は低減すべきかどうかを決定することができなければならない。受信機信号強度インジケータ（ＲＳＳＩ）は、これを可能にする。送信機出力を変更するためのコマンドは、ＬＭＰ（リンクマネージャープロトコル）リンクで伝送される。
【００２５】
Ｂｌｕｅｔｏｏｔｈ（登録商標）スタックにおける無線層の上には、ベースバンド・プロトコル及び他の低レベルリンクルーチンを実行するＢｌｕｅｔｏｏｔｈ（登録商標）リンク制御器（ＬＣ）の仕様を記載するベースバンド層がある。ベースバンドは、Ｂｌｕｅｔｏｏｔｈ（登録商標）スタックの物理層である。それは、他のサービスリンクエラー補正、データ・ホワイトニング、ホップセクション及びＢｌｕｅｔｏｏｔｈ（登録商標）の安全性とは別に、物理チャネル及びリンクを管理する。ベースバンド・プロトコルは、リンク接続及び出力制御などのリンクレベルルーチンを実行するためにリンクマネージャーとともに働くリンク制御器として実施される。ベースバンドは、また、その領域においてＢｌｕｅｔｏｏｔｈ（登録商標）装置にアクセス及び問い合わせを行うよう、非同期及び同期リンクを監視し、パケットを処理し、ページング及び問い合わせを行う。ベースバンド送受信機は、時分割二重（ＴＤＤ）方式を適用する（交互に送信及び受信を行う）。従って、異なったホッピング周波数（周波数分割）とは別に、時間も割り当てられる。
【００２６】
３０の異なるパケット形式が、Ｂｌｕｅｔｏｏｔｈ（登録商標）システムのベースバンド層に関して定義される。夫々のパケットは、３つのエントリ、即ち、アクセスコード（６８／７２ビット）、ヘッダ（５４ビット）及びペイロード（０〜２７４５ビット）から成る。アクセスコードは、時間同期、オフセット補償、ページング及び問い合わせのために用いられる。ヘッダは、パケット承認（ａｃｋｎｏｗｌｅｄｇｍｅｎｔ）のための情報、適切でないパケット並び替えのためのパケット付番（ｎｕｍｂｅｒｉｎｇ）、フロー制御、スレーブアドレス、及びヘッダのエラーチェックを含む。パケットペイロードは、音声フィールド、データフィールド、またはそれら両方を含むことができる。それがデータフィールドを有する場合には、ペイロードは、また、ペイロードヘッダを含みうる。
【００２７】
Ｂｌｕｅｔｏｏｔｈ（登録商標）制御器は、２つの主な状態、即ち、待機状態及び接続状態で動作する。ピコネットにおいてスレーブを追加するために又は接続を形成するために用いられる７つのサブステートがある。これらは、ページ、ページスキャン、問い合わせ、問い合わせスキャン、マスター応答、スレーブ応答、及び問い合わせ応答である。待機状態は、Ｂｌｕｅｔｏｏｔｈ（登録商標）ユニットにおいてデフォルトの低出力状態である。固有クロック（ｎａｔｉｖｅ  ｃｌｏｃｋ）のみが動作し、他の装置との対話はない。接続状態では、マスター及びスレーブは、チャネル（マスター）アクセスコード及びマスターＢｌｕｅｔｏｏｔｈ（登録商標）クロックを用いて、パケットを交換することができる。
【００２８】
リンクマネージャーは、リンク設定、認証、リンク構成及び他のプロトコルを実行する。それは、他の遠く離れたリンクマネージャーを見つけて、それらとリンクマネージャープロトコル（ＬＭＰ）を介して通信する。そのサービスプロバイダの役割を果たすために、リンクマネージャーは、下にあるリンク制御器（ＬＣ）のサービスを使用する。
【００２９】
リンクマネージャープロトコルは、本質的に、多数のＰＤＵ（プロトコルデータユニット）から成る。ＰＤＵは、パケットヘッダにおいてＡＭ＿ＡＤＤＲによって決定され、１つの装置から他の装置へ送信される。リンクマネージャーＰＤＵは、常に、シングルスロットパケットとして送信され、従って、ペイロードヘッダは１バイトである。
【００３０】
接続が２つのＢｌｕｅｔｏｏｔｈ（登録商標）装置の間で確立された場合に、接続はＡＣＬリンクから成る。その場合に、１又はそれ以上のＳＣＯリンクが確立され得る。
【００３１】
夫々のＢｌｕｅｔｏｏｔｈ（登録商標）リンクは、リンク管理のために用いられるタイマを有する。このタイマは、領域外に移動する装置によって引き起こされるリンク損失、装置の電源オフ、又は他の同様の不成功を検出するために用いられる。ＬＭＰプロシージャーは、管理タイムアウトの値を設定するために用いられる。
【００３２】
ホスト制御器インターフェース（ＨＣＩ）は、ベースバンドリンク制御器及びリンクマネージャーへのコマンドインターフェースと、ハードウェア状態及び制御レジスタへのアクセスとを提供する。それは、Ｂｌｕｅｔｏｏｔｈ（登録商標）に基づく機能にアクセスする一定のコマンド方式を提供する。ＨＣＩリンクコマンドは、他のＢｌｕｅｔｏｏｔｈ（登録商標）装置へのリンク層接続を制御する機能をホストに提供する。これらのコマンドは、リンクマネージャーが、遠く離れたＢｌｕｅｔｏｏｔｈ（登録商標）とＬＭＰコマンドを交換することを可能にする。
【００３３】
論理リンク制御及び適応プロトコル（Ｌ２ＣＡＰ）は、Ｂｌｕｅｔｏｏｔｈ（登録商標）スタックにおいてベースバンド・プロトコルの上にあり、データリンク層にある。それは、より高いレベルのプロトコル多重化、パケット分割及び再構築、並びにサービス情報の品質の伝送を支持する。Ｌ２ＣＡＰは、より高いレベルのプロトコル及びアプリケーションが、６４キロバイトまでの長さでＬ２ＣＡＰデータパケットを送信及び受信することを可能にする。同期接続型（ＳＣＯ）リンク及び非同期接続レス（ＡＣＬ）リンクは、両方とも支持される。Ｌ２ＣＡＰは、パケットベースであるが、チャネルベースの通信モデルに従う。チャネルは、離れた場所にあるＬ２ＣＡＰエントリの間のデータフローを表す。チャネルは、接続型又は接続レスであっても良い。Ｌ２ＣＡＰは、ベースバンドにおいてリンクマネージャー層によって提供されるフロー制御メカニズムに依存する。
【００３４】
ＲＦＣＯＭＭプロトコルは、Ｌ２ＣＡＰプロトコルを介してＲＳ−２３２シリーズのポートのエミュレーションを提供する。ＲＦＣＯＭＭが適応する２つの装置形式が存在する。即ち、タイプ１の装置（例えば、コンピュータ及びプリンタなどの通信エンドポイント。）及びタイプ２の装置（例えば、モデムなどの通信セグメントの一部である装置。）である。タイプ１の装置では、幾つかのポートドライバは、エミュレーションであるＡＰＩによって特定されるようなフロー制御サービスを提供すべきである。例えば、アプリケーションは、フロー制御を扱うよう、例えばＸＯＮ／ＸＯＦＦ又はＲＴＳ／ＣＴＳなどの特定のフロー制御メカニズムを要求し、ポートドライバを除外しても良い。タイプ２の装置では、ポートドライバは、通信経路のＲＦＣＯＭＭではない部分、即ち、物理ＲＳ−２３２ポートでフロー制御を実行するために必要とされうる。
【００３５】
サービス・ディスカバリ・プロトコル（ＳＤＰ）は、どのサービスがＢｌｕｅｔｏｏｔｈ（登録商標）装置によって提供されるか、あるいはＢｌｕｅｔｏｏｔｈ（登録商標）装置を介して利用可能となるかを発見するためのアプリケーション向け手段を提供する。それは、また、アプリケーションが、それらの利用可能なサービスの特徴を判断することを可能にする。特定のサービス・ディスカバリ・プロトコルは、利用可能であるサービスの組が、動作中のＢｌｕｅｔｏｏｔｈ（登録商標）使用可能装置のＲＦ近接に基づいて動的に変化するので、Ｂｌｕｅｔｏｏｔｈ（登録商標）環境において要求される。ＳＤＰは、夫々のトランザクションが、１つの要求プロトコルデータユニット（ＰＤＵ）及び１つの応答ＰＤＵから成るところの要求／応答モデルを用いる。全てのＳＤＰＰＤＵは、ＰＤＵ固有のパラメータの前のＰＤＵヘッダから成る。ヘッダは、３つのフィールド、即ち、ＰＤＵの種類を識別するＰＤＵＩＤと、一意に要求ＰＤＵを識別して、要求ＰＤＵに対する応答ＰＤＵの整合を実行するトランザクションＩＤフィールドと、ＰＤＵに含まれる全てのパラメータの（バイト）長さとを特定するパラメータ長フィールドを含む。
【００３６】
ＳＤＰは、Ｂｌｕｅｔｏｏｔｈ（登録商標）使用可能装置が、他のＢｌｕｅｔｏｏｔｈ（登録商標）使用可能装置がサービスに関して何を提供すべきかを発見することを可能にする。いずれかの提供されるサービスを探すプロセスは、一般的に「ブラウジング」と呼ばれる。なお、「サーチング」は、一般的に特定のサービスを探すことを言う。ＳＤＰにおいて、サービスのブラウジングのためのメカニズムは、ＢｒｏｗｓｅＧｒｏｕｐＬｉｓｔ属性と呼ばれる全てのサービス分類によって共有される属性に基づく。この属性の値は、汎用一意識別子（ＵＵＩＤ）のリストを含む。夫々のＵＵＩＤは、サービスがブラウジングの目的のために関連付けられるところの閲覧グループを表す。
【００３７】
ここで図２を参照する。図２は、本発明の一実施例に従う例となる映像会議開催システムのブロック図を表す。図２の例では、会議室Ａにある映像会議開催ユニット２００は、会議室Ａにある様々なＢｌｕｅｔｏｏｔｈ（登録商標）使用可能装置により無線周波数ＰＡＮを確立することができる。この例では、会議室ＡにあるＰＡＮ内のＢｌｕｅｔｏｏｔｈ（登録商標）使用可能装置は、プリンタ２２０、ＰＤＡ２３０、及び携帯電話２４０を有する。他のＢｌｕｅｔｏｏｔｈ（登録商標）使用可能装置が、図１に関連して先に記載されたものを含むがこれに制限されずに、会議室ＡにおけるＰＡＮに含まれても良い。
【００３８】
無線層２０２、ハードウェア（ＨＷ）層２０４、ＨＣＩ層２０６、Ｌ２ＣＡＰ層２０８、他のＢｌｕｅｔｏｏｔｈ（登録商標）スタック構成要素２１０、及びアプリケーション層２１２を含む映像会議開催ユニット２００の様々な層が図２に表される。例えば、Ｂｌｕｅｔｏｏｔｈ（登録商標）仕様書に書かれているような更なる層が含まれても良いが、簡単のために表されない。
【００３９】
ネットワークインターフェース（ＮＩ）２１４は、チャネル２１６を介してＨＣＩ層２０６へ接続される。ネットワークインターフェース２１４は、インターネットを含め、ＩＰベースのネットワークによる音声、映像、データ通信のために、Ｈ．３２３規格に従って動作することができる。ネットワークインターフェース２１４は、また、ＩＳＤＮ映像会議開催のためにＨ．３２０規格に従って動作することもできる。ネットワークインターフェース２１４は、また、現在知られているか、あるいは後に開発されるかに関わらず、他の規格及びプロトコルに従って動作しても良い。本実施例に従って、チャネル２１６は、Ｂｌｕｅｔｏｏｔｈ（登録商標）データを送信及び受信するための専用のＲＴＰチャネルを有しても良い。
【００４０】
会議室Ａにある映像会議開催ユニット２００は、会議室Ａから離れた会議室Ｂにある映像会議開催ユニット２５０との間でブロードバンド接続２４５を介して音声、映像及びデータを送受信することができる。この例では、ブロードバンド接続２４５は、例えば、ＩＰネットワーク又はＩＳＤＮラインを介する接続を有しても良い。会議接続２４５は、映像チャネル、音声チャネル、制御チャネル、及びＢｌｕｅｔｏｏｔｈ（登録商標）チャネルを有しても良い。
【００４１】
無線層２５２、ハードウェア（ＨＷ）層２５４、ＨＣＩ層２５６、Ｌ２ＣＡＰ層２５８、他のＢｌｕｅｔｏｏｔｈ（登録商標）スタック構成要素２６０、及びアプリケーション層２６２を含む映像会議開催ユニット２５０の様々な層が図２に表される。例えば、Ｂｌｕｅｔｏｏｔｈ（登録商標）仕様書に書かれているような更なる層が含まれても良いが、簡単のために表されない。
【００４２】
ネットワークインターフェース（ＮＩ）２６４は、チャネル２６６を介してＨＣＩ層２５６へ接続される。本実施例に従って、チャネル２６６は、Ｂｌｕｅｔｏｏｔｈ（登録商標）データを送信及び受信するための専用のＲＴＰチャネルを有しても良い。ネットワークインターフェース２６４は、インターネットを含め、ＩＰベースのネットワークを介する音声、映像、データ通信のために、Ｈ．３２３規格に従って動作することができる。ネットワークインターフェース２６４は、また、ＩＳＤＮ映像会議開催のためにＨ．３２０規格に従って動作することもできる。ネットワークインターフェース２６４は、また、現在知られているか、あるいは後に開発されるかに関わらず、他の規格及びプロトコルに従って動作しても良い。
【００４３】
会議室Ｂにある映像会議開催ユニット２５０は、会議室Ｂにある様々なＢｌｕｅｔｏｏｔｈ（登録商標）使用可能装置とともに無線周波数ＰＡＮを確立することができる。この例では、会議室ＢにあるＢｌｕｅｔｏｏｔｈ（登録商標）使用可能装置は、パーソナルコンピュータ２７０（例えば、手持ち式のＰＣ又はラップトップＰＣなど。）及びＰＤＡ２８０を有する。
【００４４】
例えば、Ｈ．３２３又はＨ．３２０による映像会議などの会議が接続されると、ＶＣＵ２００及び２５０は、それらの夫々の機能に関連するデータを交換する。例えば、ＶＣＵ２００は、ＶＣＵ２００が映像、音声及びＢｌｕｅｔｏｏｔｈ（登録商標）データを送信及び受信することができることを伝え、ＶＣＵ２５０は、また、ＶＣＵ２５０が映像、音声及びＢｌｕｅｔｏｏｔｈ（登録商標）データを送信及び受信することができることを伝えることができる。
【００４５】
機能交換に続いて、（装置発見とも呼ばれる）装置識別の動作が実行される。ＶＣＵ２００及び２５０の夫々は、その場及び遠くで無線スキャンを行い、結果が収集及び交換される。従って、図２の例では、ＶＣＵ２００は、その場にある装置（プリンタ２２０、ＰＤＡ２３０、及び携帯電話２４０）と、遠くにある装置（ＰＣ２７０及びＰＤＡ２８０）とを発見し、ＶＣＵ２５０は、その場にある装置（ＰＣ２７０及びＰＤＡ２８０）と、遠くにある装置（プリンタ２２０、ＰＤＡ２３０、及び携帯電話２４０）とを発見する。全てのこのような装置（プリンタ２２０、ＰＤＡ２３０、携帯電話２４０、ＰＣ２７０及びＰＤＡ２８０）は、それらが同じ部屋で同じ無線ネットワーク内にあるように現れる。夫々の装置は、アドレス（例えば、ネットワークアドレスなど。）と、属性（例えば、ヘッドセットプロフィールやデータ交換プロフィールなどのように、どのＢｌｕｅｔｏｏｔｈ（登録商標）プロフィールが支持されるか。）の組とを有する。
【００４６】
本発明の原理に関する１つの例となる実例では、会議室Ａ内のＰＤＡ２３０及び会議室Ｂ内のＰＤＡ２８０は、ＲＳ２３２データ交換を行って、接続２４５を介して電子名刺の形でコンタクト情報を交換することができる。データ交換は、たとえばそれらの夫々の物理的位置が数百又は数千マイル離れていたとしても、あたかもそれらが同じ物理的ピコネットにあるように起きる。
【００４７】
Ｂｌｕｅｔｏｏｔｈ（登録商標）ＰＤＡの間のコンタクト情報の交換方法は、以下のように実行されうる。第１に、ＰＤＡは、夫々、同じ装置を検索する。次に、接続が、例えば、図２のＰＤＡ２３０及びＰＤＡ２８０などのように、ＰＤＡの間で確立される。（例えば、ｖＣａｒｄ又はテキストフォーマットで保存されうる）電子名刺データを含むデータは、装置プロフィールに従って送信される。このようなデータの交換を実施するアプリケーションは、Ｂｌｕｅｔｏｏｔｈ（登録商標）バージョン１．１プロフィールで規定されるオブジェクト・プッシュ・プロフィールに基づいても良い。最後に、接続が閉じられる。
【００４８】
本発明の原理に関する他の例となる実例では、会議参加者は、自身のＰＤＡ２３０、ＰＤＡ２８０、又は携帯電話２４０などから映像番号又は電話番号を直接的にダイヤルすることができる。ユーザは、しばしば、自身のＰＤＡ及び携帯電話にアドレス帳及びコンタクト情報を保存する。ユーザがそのような番号を直接にダイヤルすることを可能にすることにより、ユーザは、セントラル・レポジトリに自身のコンタクト情報を保持することができる。
【００４９】
例えばＢｌｕｅｔｏｏｔｈ（登録商標）ＰＤＡなどの無線装置から番号を直接的にダイヤルする方法は、以下のように実行されうる。第１に、会議参加者は、例えば、図２のＰＤＡ２３０及びＰＤＡ２８０などの、自身のＰＤＡのディレクトリに保存された映像又は音声の番号をダイヤルする。映像会議開催ユニット２００は、電話ドライバを有する。ＰＤＡ２３０は、映像会議開催ユニット２００へ接続して、Ｂｌｕｅｔｏｏｔｈ（登録商標）リンク２１６を介して映像会議開催ユニット２００へ番号を送信する。その後、映像会議開催ユニット２００はその番号をダイヤルする。
【００５０】
本発明の原理に関する他の例となる実例では、会議参加者は、自身の無線装置に保存されたアドレス帳又はカレンダなどのデータの組を同期させることができる。このようなアドレス帳又はカレンダデータの同期化を実施するアプリケーションは、Ｂｌｕｅｔｏｏｔｈ（登録商標）バージョン１．１プロフィールで規定されるオブジェクト同期化プロフィールに基づいても良い。
【００５１】
本発明の原理に関する他の例となる実例では、会議参加者は、コラボレーション描画に関与することができる。例えば、近端のユーザは、自身のＰＤＡに描き、その描画を遠端のユーザと共有することができる。描画コラボレーションを実施するアプリケーションは、用いられる特定のＰＤＡのＳＤＫ（ソフトウェア開発キット）の上に開発され、ＳＤＫが用いる特定のプロフィールに基づく。
【００５２】
本発明の原理に関する他の例となる実例では、音声電話呼出は、映像会議に加えられても良い。例えばＶＣＵ２００などの会議開催局は、例えば携帯電話２４０などのＢｌｕｅｔｏｏｔｈ（登録商標）携帯電話のために、内蔵ＰＯＴＳ型音声ポートを有する。会議開催局は、Ｂｌｕｅｔｏｏｔｈ（登録商標）ヘッドセットとして動作し、一方、Ｂｌｕｅｔｏｏｔｈ（登録商標）携帯電話は音声ゲートウェイとして動作する。この機能を実施するアプリケーションは、Ｂｌｕｅｔｏｏｔｈ（登録商標）バージョン１．１プロフィールで規定されるヘッドセット・プロフィール（又はハンズフリー・プロフィール）に基づいても良い。
【００５３】
本発明の原理に関する他の例となる実例では、会議参加者は、自身の考えを他の会議参加者へ示すためにホワイトボードに描くことができる。ホワイトボードを指し示すためにビデオカメラを移動させることなく、あるいは有線ホワイトボードを用いることなく、イメージはＶＣＵへ無線で送信され得る。その場合に、ＶＣＵは、イメージを遠端へ送信し、その描画をディスプレイ装置上に表示させる。従って、Ｂｌｕｅｔｏｏｔｈ（登録商標）ホワイトボードは、会議室Ａ内のＰＡＮに参加しても良く、Ｂｌｕｅｔｏｏｔｈ（登録商標）ホワイトボード上の描画は、離れた場所にある会議室Ｂ内のモニタ上で見られうる。この機能を実施するアプリケーションは、シリアルポート・プロフィールに基づいて、特定のホワイトボードベンダーのＳＤＫの上に開発される。
【００５４】
本発明の原理に関する他の例となる実例では、会議参加者は、例えばＡｎｏｔｏによって認可されたものなどのＢｌｕｅｔｏｏｔｈ（登録商標）ペンを用いて１枚の用紙に図を書いても良い。Ｂｌｕｅｔｏｏｔｈ（登録商標）ペンは、イメージを捉えて、それをＢｌｕｅｔｏｏｔｈ（登録商標）リンクを介して映像会議ユニットへ送信する。この機能を実施するアプリケーションは、ＡｎｏｔｏのＳＤＫに基づく。
【００５５】
本発明の原理に関する他の例となる実例では、更にユーザフレンドリな方法が、Ｂｌｕｅｔｏｏｔｈ（登録商標）を使用可能なマウス及びキーボードを用いることによって、ユーザ入力を受け取るために、又はＵＩ（ユーザインターフェース）アイテムを操縦するために提供される。この機能を実施するアプリケーションは、Ｂｌｕｅｔｏｏｔｈ（登録商標）バージョン１．１プロフィールで規定されるＨＩＤ（ヒューマン・インターフェース・デバイス）に基づいても良い。
【００５６】
本発明の原理に関する他の例となる実例では、音声データは、Ｂｌｕｅｔｏｏｔｈ（登録商標）を使用可能なマイクロフォンからＶＣＵ基地局へ無線で送信可能である。一方、従来のマイクロフォンは、基地局へ有線接続される。これは、部屋の統一を困難にする。無線マイクロフォンが代わりに用いられても良い。この機能を実施するアプリケーションは、Ｂｌｕｅｔｏｏｔｈ（登録商標）リンク２１６からの最大データスループットを達成するよう、専用のプロトコルに基づくことができる。
【００５７】
本発明の原理に関する他の例となる実例では、ＶＣＵで実行されるアプリケーションは、会議中に、遠端からの、例えば文書、スライド、及び名刺などのファイルを印刷する機能を提供する。例えば、会議室Ｂ内のパーソナルコンピュータ２７０に保存された文書は、離れた場所にある会議室Ａ内のプリンタ２２０で印刷可能である。この機能を実施するアプリケーションは、特定のプリンタに依存して、Ｂｌｕｅｔｏｏｔｈ（登録商標）印刷機能を提供する以下のプロフィール、即ち、基本印刷プロフィール、ハードコピー・ケーブル交換プロフィール、基本画像プロフィール、ＰＡＮプロフィール、オブジェクト・プッシュ・プロフィール、又はシリアルポート・プロフィールなどの中の１又はそれ以上に基づくことができる。
【００５８】
本発明の原理に関する他の例となる実例では、上記アプリケーション、例えば同期化やコラボレーションなどは、ユーザが自身のＰＣに何のアプリケーションを有するか、に依存して組み合わされる。ウィンドウズ（登録商標）及びマックＯＳは、あるＢｌｕｅｔｏｏｔｈ（登録商標）サポートを提供する。アプリケーションは、ＯＳサポート及びプロフィールに基づいても良く、あるいは第三者アプリケーションとともに用いられても良い。
【００５９】
図３は、本発明の一実施例に従う例となる映像会議開催ユニットのブロック図を表す。映像会議開催ユニットは、フィールド・プログラマブル・ゲート・アレイ（ＦＰＧＡ）から成るインターフェース３２０とデータ通信を行うメディア処理装置３１０を有する。Ｂｌｕｅｔｏｏｔｈ（登録商標）モジュール３３０は、ＲＦ通信のためのアンテナ基板３４０と、データ通信のためのインターフェース３２０とへ接続される。高速シリアルリンクがＢｌｕｅｔｏｏｔｈ（登録商標）モジュール３３０及びインターフェース３２０を接続するために用いられても良い。Ｂｌｕｅｔｏｏｔｈ（登録商標）モジュール３３０は、Ｂｌｕｅｔｏｏｔｈ（登録商標）仕様に従って通信するためのソフトウェア及びコードを有する。Ｂｌｕｅｔｏｏｔｈ（登録商標）モジュール３３０は、名刺交換、直接ダイヤル、データ同期化、描画コラボレーション、音声読み出しの追加、Ｂｌｕｅｔｏｏｔｈ（登録商標）ホワイトボード送信、Ｂｌｕｅｔｏｏｔｈ（登録商標）ペン画像化、Ｂｌｕｅｔｏｏｔｈ（登録商標）ユーザ入力、無線マイクロフォン、無線印刷、及び無線ＰＣアプリケーションなどの上記用途のいずれかを実施するためのソフトウェアを有しても良い。他の実施例では、通信は、例えばＵＷＢ、８０２．１１、ＩＲ、又は他の無線通信仕様などの異なる規格又はプロトコルに従って行われても良い。
【００６０】
図３に示される様々な構成要素は、映像会議開催ユニットの外部であっても良い。例えば、カメラ、モニタ、マイクロフォン、スピーカ、及びサブウーハーのうちの１又はそれ以上は、映像会議開催ユニットの外部であっても良い。
【００６１】
本発明は、有限な数の実施例に関して記載されたが、当業者には、それらの実施例からの多数の変更及び変形が考えられるであろう。添付の特許請求の範囲は、本発明の真の精神及び適用範囲の中井にある全てのこのような変更及び変形を包含する。
【図面の簡単な説明】
【００６２】
【図１】本発明の一実施例に従う会議開催システムのブロック図を表す。
【図２】本発明の一実施例に従う例となる映像会議開催システムのブロック図を表す。
【図３】本発明の一実施例に従う例となる映像会議開催ユニットのブロック図を表す。
【符号の説明】
【００６３】
１００，１５０  エンドポイント
１１０，１６０  ＰＡＮ
１２０，１３，１４０，１７０，１８０  Ｂｌｕｅｔｏｏｔｈ（登録商標）使用可能装置
１４５，２４５  会議開催接続
２００，２５０  ＶＣＵ
２０２，２５２  無線層
２０４，２５４  ハードウェア層
２０６，２５６  ＨＣＩ層
２０８，２５８  Ｌ２ＣＡＰ層
２１０，２６０  他のＢｌｕｅｔｏｏｔｈ（登録商標）スタックの構成要素の層
２１２，２６２  アプリケーション層
２１４，２６４  ネットワークインターフェース
３１０  メディア処理装置
３２０  インターフェース
３３０  Ｂｌｕｅｔｏｏｔｈ（登録商標）モジュール
【図１】
2007282219.tif 000003
【図２】
2007282219.tif 000004
【図３】
2007282219.tif 000005